(57)【要約】      （修正有）【課題】人体或いは物品上に任意に粘着可能な粘着式発光装置を提供する。【解決手段】主に発光装置は封入構造６と発光装置７により構成する。該発光装置は制御ユニットと発光ユニットを具える。該封入構造は透明ディスプレーエリア６１を含み、該透明ディスプレーエリアは各種形状或いは図案に湾折する発光ユニットを設置し、該透明ディスプレーエリア一端には制御回路板７２を設置する封鎖エリアを具える。該封鎖エリア上には薄型のスイッチエリアを設置し、オンスイッチを押すと該制御回路板は発光ユニットの点灯、点滅、明滅などの各種変化を制御することができる。【選択図】図１
0003116533.tif 000002
【実用新案登録請求の範囲】
【請求項１】
主に発光装置は、制御ユニット、発光ユニット、封入構造を含み、
前記制御ユニットは制御回路板と前記発光ユニットの点灯に必要な電源を提供し、
該発光ユニットは少なくとも発光部品と伝送導線により構成し、該伝送導線は該制御ユニット及び該発光ユニットと接続し、
該封入構造は発光装置を内部に封入することを特徴とする粘着式発光装置。
【請求項２】
前記発光ユニットはスペースをとらず、節電効果を具え、高い輝度を実現する発光ダイオードの任意の一種であることを特徴とする請求項１記載の粘着式発光装置。
【請求項３】
前記発光部品は同一、或いは異なる任意の色彩を含むことを特徴とする請求項１記載の粘着式発光装置。
【請求項４】
前記発光部品はすべての面に発光面を形成することを特徴とする請求項１記載の粘着式発光装置。
【請求項５】
前記伝送導線は可撓性を具え、任意の形状或いは図案が屈曲可能に形成できることを特徴とする請求項１記載の粘着式発光装置。
【請求項６】
前記封入構造は透明ディスプレーエリアを含み、該透明ディスプレーエリア一端には前記制御回路板を設置する封入エリアを設置し、同時に該封入エリア上には薄型のスイッチエリアを設置することを特徴とする請求項１記載の粘着式発光装置。
【考案の詳細な説明】
【技術分野】
【０００１】
本考案は一種の粘着式発光装置に関する。特に、一種の任意に携帯可能で、人が着用している衣服、或いは物品上に粘着可能な発光装置で、効果的な装飾、警告、或いは照明効果を達成する視認性の高い粘着式発光装置に関する。
【背景技術】
【０００２】
従来、視認性が要求される安全ベスト等に発光ダイオードのベルトを装着することが知られている(特許文献１)。例えば、図１に示す公知の警告装置は、封入構造６と発光装置７により構成され、該封入構造６は透明ディスプレーエリア６１、封鎖エリア６２により形成し、該発光装置７は電源７１、制御回路板７２、光導入片７３により構成する。該透明ディスプレーエリア６１は該光導入片７３を封入し、該封鎖エリア６２は該電源７１と該制御回路板７２を封入する。そして、該制御回路板７２のスイッチを押すと、該電源７１は該制御回路板７２に伝送される。これにより該制御回路板７２上の発光ダイオードは点灯し、光源は該光導入片７３により導き出される。
該光源は該光導入片７３より導き出されるため、該透明ディスプレーエリア６１の大部分の光は十分でなく光源の分布が不均一であるため、その警告効果は低い。よって、照明或いはディスプレーとしては適さず、すなわち屋外作業人員の衣服やベストなど、或いは他の物品においては一般に適用されていない。
【特許文献１】特開平１１−２５９０２５号公報
【考案の開示】
【考案が解決しようとする課題】
【０００３】
しかしながら、従来公知の発光装置の構造には以下の欠点があった。
すなわち、公知の発光装置の光源は光導入片により導き出されるため、ディスプレーエリアの多くの部分では光が不十分で、光源の分布が不均一であるため、その視認効果や警告効果は低く、よって、照明或いはディスプレーとしては適さず、すなわち屋外作業人員の衣服やベスト、或いは他の物品においては一般に適用されていない。
本考案は、上記構造の問題点を解決すべくなされたもので、光ダイオードは各面すべてに均一に発光面を形成して、視認効果や警告効果を高める粘着式発光装置を提供するものである。
【課題を解決するための手段】
【０００４】
上記課題を解決するため、本考案は下記の粘着式発光装置を提供する。
それは主に薄くコンパクトに設計し、高い警告効果を具える他、装飾及び照明としても使用可能で、また、それは封入構造、発光装置により構成し、該発光装置は制御ユニット、発光ユニットを具え、該封入構造は透明ディスプレーエリアを含み、該透明ディスプレーエリアには各種形状或いは図案に屈曲(湾折)可能な発光ユニットを設置し、該透明ディスプレーエリア一端には制御回路板を設置する封入エリアを具え、該封入エリア上には薄型のスイッチエリアを設置し、該スイッチエリアのオンスイッチを押すと、該制御回路板は発光ユニットの点灯、点滅、明滅などの各種変化を制御することを特徴とする粘着式発光装置である。
【０００５】
すなわち、請求項１の考案は、主に発光装置は、制御ユニット、発光ユニット、封入構造を含み、前記制御ユニットは制御回路板と前記発光ユニットの点灯に必要な電源を提供し、該発光ユニットは少なくとも発光部品と伝送導線により構成し、該伝送導線は該制御ユニット及び該発光ユニットと接続し、該封入構造は発光装置を内部に封入することを特徴とする粘着式発光装置である。
請求項２の考案は、前記発光ユニットはスペースをとらず、節電効果を具え、高い輝度を実現する発光ダイオードの任意の一種であることを特徴とする請求項１記載の粘着式発光装置である。
請求項３の考案は、前記発光部品は同一、或いは異なる任意の色彩を含むことを特徴とする請求項１記載の粘着式発光装置である。
請求項４の考案は、前記発光部品はすべての面に発光面を形成することを特徴とする請求項１記載の粘着式発光装置である。
請求項５の考案は、前記伝送導線は可撓性を具え、任意の形状或いは図案が屈曲可能に形成できることを特徴とする請求項１記載の粘着式発光装置である。
請求項６の考案は、前記封入構造は透明ディスプレーエリアを含み、該透明ディスプレーエリア一端には前記制御回路板を設置する封入エリアを設置し、同時に該封入エリア上には薄型のスイッチエリアを設置することを特徴とする請求項１記載の粘着式発光装置である。
【考案の効果】
【０００６】
本考案によれば、発光装置の発光部品は体積が極めて小さいマイクロ伝送導線を採用するため、コンパクトで高い節電効果と輝度を具えることができる。また、本考案の伝送導線は可撓性を具えるため、任意の形状或いは図案に屈曲(湾折）可能である他、クリスマスツリー、ドア枠、梁、或いは他の物品に巻き付けることができる。
しかも、本考案の発光部品が採用する発光ダイオードは内部の発光チップ、封入体、伝送導線が水平接続であるため、体積と高度が非常に小さく、該発光ダイオードは各面すべてで均一に発光面を形成するため、各方向への表示或いは照明効果を達成することができる。
さらに、本考案は薄くコンパクトな構造体内に照明薄片を形成し照明カードとすることもでき、使用者は財布などに入れ携帯可能である。また、本考案の制御ユニット上にはブザーを設置し、発光装置に光による警告機能の他に、音声による警告機能を持たせることもできる。
【考案を実施するための最良の形態】
【０００７】
本考案の好適な粘着式発光装置の実施例を図面に沿って説明する。
本考案の実施例の発光装置は、図２、３に示すように、制御ユニット１、発光ユニット２により構成される。
該制御ユニット１は制御回路板(図示なし)を具え、該発光ユニット２の点灯に必要とする電源１１を提供する。該制御回路板は該発光ユニット２を制御し、消灯或いは点滅(走馬灯など)などの各種変化の制御を行い、装飾、照明、或いは、警告の効果を達成し、また防水機能を具えた封入とすることもできる。
該発光ユニット２は複数の発光部品２１と該発光部品２１に接続する伝送導線２２により構成する。該発光部品２１は体積が極めて小さいマイクロ伝送導線を採用し接続する次世代発光ダイオードの任意の一種で、場所をとらず、節電効果と高い輝度を具えられている。
前記伝送導線２２は可撓性を具えるため、使用者は製品の設計やデザイン、或いは設置空間に応じて湾折させ任意の形状或いは図案を製品内に配置することができる。こうして、体積が過大になる、或いは伝送導線が乱雑にスペースをとるという状況の発生を防ぐことができる。
本考案の実施例の発光部品２１が採用する発光ダイオードは、一般のランプ或いは発光ダイオードに比較し、上記の長所以外に内部の発光チップ、封入体、伝送導線が水平接続であるため、体積と高度が非常に小さいという長所を具えている。
しかも、該発光ダイオードは各面すべてに均一に発光面を形成し、本考案の実施例の各方向への表示或いは照明効果の達成において有利であり視認性を高める。
また、該制御ユニット１のスイッチ１２をオンにすると、該制御回路板は該発光部品２１の点灯、点滅、明滅などの変化を制御することができる。
【０００８】
次に、図４、５に示すように、本考案の実施例の発光ユニット２の該伝送導線２２は可撓性を供えるため、使用者は任意の形状或いは図案に屈曲することができ、該屈曲後の形状或いは図案と該制御ユニット１を薄くコンパクトな封入構造３内に封入可能である。
前記封入構造３は、透明ディスプレーエリア３１を含み、該透明ディスプレーエリア３１は各種形状或いは図案に湾折した発光ユニット２を収容し、該透明ディスプレーエリア３１一端には制御回路板を設置する封鎖エリア３２を具える。同時に該封鎖エリア３２上には薄型のスイッチエリア３３を設置する。なお、図４(ａ)は透明ディスプレーエリア３１を裏面まで覆って、裏面に両面テープ或いはマジックテープ(登録商標)８を設けた実施例で、図４(ｂ)は透明ディスプレーエリア３１を表面だけ覆った実施例である。
該スイッチエリア３３のオンボタン３３１を押すと、制御回路板は該発光部品２１の点灯、点滅、明滅などの多種の変化を制御することができる。しかも、光源は該透明ディスプレーエリア３１全体に充満し、光源の分布が不均一な現象が発生することはない。
オフボタン３３２を押すと、電源をオフにすることができ、制御回路板は該発光ユニット２に対する制御を停止する。
【０００９】
前記発光装置を該封入構造３に封入後、薄くコンパクトな照明、ディスプレー、警告物を形成し、該封入構造３上には両面テープ或いはマジックテープ(登録商標)８などを設置し、使用者は乗物４(図６、第二実施例参照)、或いは、衣服や人体５(図７、第三実施例参照)、或いは建物、或いは一般の物品に粘着することができる。こうして照明、ディスプレー、警告の効果を達成する。
さらに、図８に示す本考案の第四実施例では、上記実施例とほぼ同一であるがその相違点は、発光ユニット２の伝送導線２２上には様々な色を生じる発光部品２１を接続可能である点である。制御回路板の制御により、異なる色の変化を制御可能で、色彩豊かなディスプレー、或いは、警告の効果を達成する。
【００１０】
本考案の実施例の発光装置は、薄くコンパクトな構造体内に照明薄片すなわち照明カードを形成し、使用者は財布などに入れ携帯可能であるため、暗くかつ無照明の状況では、使用者は該照明カードを取り出し点灯させ使用することができる。
また、本考案発光装置の伝送導線２２は可撓性を具えるため、任意の形状或いは図案に湾折可能である他、クリスマスツリー、ドア枠、梁、或いは他の物品に巻き付けることができる。
さらに、本考案の実施例の制御ユニット１上にはブザーを設置し、光による警告機能の他に、音声による警告機能を発光装置に持たせることができる。
なお、本考案の特徴を損なうものでなければ、前記の実施例に限定されるものでないことは勿論である。
【図面の簡単な説明】
【００１１】
【図１】公知の薄型警告装置の指示図である。
【図２】本考案の実施例の発光装置の外観立体指示図である。
【図３】図２の局部拡大指示図である。
【図４】本考案の第一実施例の断面指示図である。
【図５】図４の断面指示図である。
【図６】本考案の第二実施例指示図である。
【図７】本考案の第三実施例指示図である。
【図８】本考案の第四実施例指示図である。
【符号の説明】
【００１２】
６  封入構造
７  発光装置
６１  透明ディスプレーエリア
６２  封鎖エリア
７１  電源
７２  制御回路板
７３  光導入片
１  制御ユニット
１１  電源
１２  スイッチ
２  発光ユニット
２１  発光部品
２２  伝送導線
３  封入構造
３１  透明ディスプレーエリア
３２  封鎖エリア
３３  スイッチエリア
３３１  オンボタン
３３２  オフボタン
４  乗物
５  人体 
８  両面テープ
【図１】
0003116533.tif 000003
【図２】
0003116533.tif 000004
【図３】
0003116533.tif 000005
【図４】
0003116533.tif 000006
【図５】
0003116533.tif 000007
【図６】
0003116533.tif 000008
【図７】
0003116533.tif 000009
【図８】
0003116533.tif 000010